(57)【要約】【課題】本願発明は、簡易かつ確実に外出先から録画予約を行うことができる放送装置、放送受信機、携帯端末及び録画装置を提供する。【解決手段】放送システム１は、宣伝対象番組の予告番組と共に録画関連情報を送出する放送装置１０と、宣伝対象番組の予告番組と共に録画関連情報を受信する放送受信機２０と、放送受信機２０が受信した録画関連情報を取得して録画装置４０に転送する携帯端末３０と、録画関連情報で特定された宣伝対象番組を録画予約する録画装置４０とを備える。【選択図】図１
2015142252.tif 000002
【特許請求の範囲】
【請求項１】
宣伝対象番組の予告番組と共に、当該宣伝対象番組の録画予約情報が含まれる番組情報又は当該番組情報へのポインタ情報を録画関連情報として送出する放送装置であって、
前記予告番組を記憶する番組データベースと、
前記番組情報を記憶する番組情報データベースと、
前記番組情報データベースの番組情報を参照し、前記録画関連情報が含まれるデータ放送コンテンツ又はテーブル形式コンテンツを生成する生成部と、
前記生成部で生成されたデータ放送コンテンツ又はテーブル形式コンテンツを、前記番組データベースの予告番組に多重する多重化部と、
前記多重化部で多重された予告番組を送出する送出部と、
を備えることを特徴とする放送装置。
【請求項２】
宣伝対象番組の予告番組と共に、当該宣伝対象番組の録画予約情報が含まれる番組情報又は当該番組情報へのポインタ情報を録画関連情報として送出する放送装置であって、
前記予告番組を記憶する番組データベースと、
前記番組情報を記憶する番組情報データベースと、
前記番組情報データベースの番組情報を参照し、前記録画関連情報を示すバーコードを生成する生成部と、
前記生成部で生成されたバーコードを、前記番組データベースの予告番組に合成する合成部と、
前記合成部で合成された予告番組を送出する送出部と、
を備えることを特徴とする放送装置。
【請求項３】
請求項１に記載の放送装置から、宣伝対象番組の予告番組と共に、当該宣伝対象番組の録画予約情報が含まれる番組情報又は当該番組情報へのポインタ情報を録画関連情報として受信する放送受信機であって、
前記録画関連情報が含まれるデータ放送コンテンツ又はテーブル形式コンテンツが多重された予告番組を受信する受信部と、
前記受信部で受信した予告番組から、前記データ放送コンテンツ又はテーブル形式コンテンツに含まれる録画関連情報を分離する分離部と、
前記分離部で分離した録画関連情報を、赤外線通信又は無線通信により携帯端末に出力する出力部と、
を備えることを特徴とする放送受信機。
【請求項４】
請求項３に記載の放送受信機から、宣伝対象番組の録画予約情報が含まれる番組情報又は当該番組情報へのポインタ情報が録画関連情報として入力される携帯端末であって、
赤外線通信又は無線通信によって、前記録画関連情報が入力される入力部と、
赤外線通信、無線通信又はパケット通信によって、前記入力部に入力された録画関連情報を録画装置に転送する転送部と、
を備えることを特徴とする携帯端末。
【請求項５】
放送受信機を介して、宣伝対象番組の録画予約情報が含まれる番組情報又は当該番組情報へのポインタ情報を録画関連情報として取得する携帯端末であって、
前記放送受信機に表示されたバーコードを撮影する撮影部と、
前記撮影部で撮影したバーコードを解析することで、当該バーコードが示す録画関連情報を取得するバーコード解析部と、
赤外線通信、無線通信又はパケット通信によって、前記バーコード解析部が取得した録画関連情報を録画装置に転送する転送部と、
を備えることを特徴とする携帯端末。
【請求項６】
請求項４又は請求項５に記載の携帯端末から、宣伝対象番組の録画予約情報が含まれる番組情報又は当該番組情報へのポインタ情報が録画関連情報として入力される録画装置であって、
赤外線通信、無線通信又はパケット通信によって、前記録画関連情報が入力される入力部と、
前記入力部に入力された録画関連情報に基づいて、前記宣伝対象番組を録画予約する録画予約部と、
前記録画予約部で録画予約された宣伝対象番組を録画する録画部と、
を備えることを特徴とする録画装置。
【発明の詳細な説明】
【技術分野】
【０００１】
本願発明は、放送装置、放送受信機、携帯端末及び録画装置において、番組の録画予約を行う技術に関する。
【背景技術】
【０００２】
図２１に示すように、視聴者Ａが、放送局９０のステーションブレイクなどで予告された番組を外出先の放送受信機９１で視聴し、その番組を自宅の録画装置９２に録画予約する場合を考える。この場合、例えば、視聴者Ａは、予告された番組の番組名、放送局名、放送時刻などのキー情報を記憶又はメモ９３に記録する。帰宅後、視聴者Ａは、前記キー情報をもとに予告された番組を探して録画装置９２に録画予約することになる。しかし、この手法では、視聴者が予告された番組の録画予約を忘れることや、時間の経過に伴ってキー情報の記憶が曖昧になることがあった。また、メモ９３を無くすことや、メモ９３への記録を誤ることもあった。
【０００３】
そこで、従来から、キー情報をメモ９３などに記録することなく録画予約できる発明が提案されている（例えば、特許文献１参照）。特許文献１に記載の発明は、録画予約に必要な情報が含まれるイベントメッセージを放送受信機９１に送出し、この放送受信機９１が録画装置９２にイベントメッセージを送信し、このイベントメッセージを用いて録画装置９２で録画予約を行うものである。
【先行技術文献】
【特許文献】
【０００４】
【特許文献１】特開２０１０−１４１７８１号公報
【発明の概要】
【発明が解決しようとする課題】
【０００５】
しかし、特許文献１に記載の発明では、録画装置９２が設置されていない外出先で録画予約を行えないという課題がある。言い換えるなら、特許文献１に記載の発明では、放送受信機９１が録画装置９２に直接イベントメッセージを送信できないと、録画予約を行うことができない。
【０００６】
そこで、本願発明は、視聴者が外出先で予告番組を視聴したときでも、簡易かつ確実に録画予約を行うことができる放送装置、放送受信機、携帯端末及び録画装置を提供することを課題とする。
【課題を解決するための手段】
【０００７】
前記した課題に鑑みて、本願発明に係る放送装置は、宣伝対象番組の予告番組と共に、当該宣伝対象番組の録画予約情報が含まれる番組情報又は当該番組情報へのポインタ情報を録画関連情報として送出する放送装置であって、番組データベースと、番組情報データベースと、生成部と、多重化部と、送出部とを備えることを特徴とする。
【０００８】
かかる構成によれば、放送装置は、番組データベースが予告番組を記憶し、番組情報データベースが番組情報を記憶する。また、放送装置は、生成部によって、番組情報データベースの番組情報を参照し、録画関連情報が含まれるデータ放送コンテンツ又はテーブル形式コンテンツを生成する。そして、放送装置は、多重化部によって、生成部で生成されたデータ放送コンテンツ又はテーブル形式コンテンツを、番組データベースの予告番組に多重する。さらに、放送装置は、送出部によって、多重化部で多重された予告番組を送出する。このようにして、録画関連情報を含んだデータ放送コンテンツ又はテーブル形式コンテンツが、予告番組のストリームに多重され、放送受信機に送出される。
【０００９】
テーブル形式コンテンツとは、録画関連情報を伝送するためのＳＩテーブル形式に準じたテーブル形式のデータコンテンツを表わす。テーブル形式コンテンツは、ＳＩで定義されたテーブルと全く同じ型式であってもよいが、ＳＩのテーブルとは役割は異なる。
【００１０】
宣伝対象番組とは、宣伝の対象になっている番組であり、例えば、ステーションブレイクで宣伝されている放送予定の番組である。
予告番組とは、宣伝対象番組を予告する番組のことであり、例えば、ステーションブレイクで放送されている番組自体を指す。
【００１１】
録画予約情報は、宣伝対象番組を録画予約するための情報であり、宣伝対象番組の番組情報の一部である。つまり、録画予約情報は、録画装置が録画動作を予約及び実行するために必要な情報であり、例えば、放送チャンネルを特定する情報（デジタル放送の場合は、オリジナルネットワークＩＤ、サービスＩＤ、イベントＩＤなど）、放送開始時刻、放送継続時間を含む。さらに、録画予約情報は、各種の放送受信機、携帯端末、録画装置などで扱えるように、標準化された形式であることが望ましい。
【００１２】
宣伝対象番組の番組情報は、宣伝対象番組の録画予約情報を含む一般的なメタ情報である。例えば、宣伝対象番組の番組情報は、デジタル放送のＳＩ(番組配列情報)における、ＥＩＴ（Event Information Table）のイベントループ（イベントＩＤから記述子領域までの繰り返し）に記述された各々の番組の情報が相当する。このＥＩＴは、ＡＲＩＢ（Association of Radio Industries and Businesses）  ＳＴＤ−Ｂ１０に規定されている。
【００１３】
宣伝対象番組の番組情報へのポインタ情報は、宣伝対象番組の番組情報が存在する場所を特定（ポイント）する情報である。例えば、ポインタ情報は、デジタル放送のＥＰＧ（電子番組表：Electronic Program Guide）であれば、ＥＩＴなどのテーブルに含まれるオリジナルネットワークＩＤとサービスＩＤとイベントＩＤとの組で表される。つまり、このポインタ情報が得られれば、番組情報を得ることができる。
【００１４】
また、前記した課題に鑑みて、本願第２発明に係る放送装置は、宣伝対象番組の予告番組と共に、当該宣伝対象番組の録画予約情報が含まれる番組情報又は当該番組情報へのポインタ情報を録画関連情報として送出する放送装置であって、番組データベースと、番組情報データベースと、生成部と、合成部と、送出部とを備えることを特徴とする。
【００１５】
かかる構成によれば、放送装置は、番組データベースが予告番組を記憶し、番組情報データベースが番組情報を記憶する。また、放送装置は、生成部によって、番組情報データベースの番組情報を参照し、録画関連情報を示すバーコードを生成する。そして、放送装置は、合成部によって、生成部で生成されたバーコードを、番組データベースの予告番組に合成する。さらに、放送装置は、送出部によって、合成部で合成された予告番組を送出する。このようにして、録画関連情報を示すバーコードが、予告番組の画面に合成され、放送受信機に送出される。
【００１６】
また、前記した課題に鑑みて、本願第３発明に係る放送受信機は、前記した放送装置から、宣伝対象番組の予告番組と共に、当該宣伝対象番組の録画予約情報が含まれる番組情報又は当該番組情報へのポインタ情報を録画関連情報として受信する放送受信機であって、受信部と、分離部と、出力部とを備えることを特徴とする。
【００１７】
かかる構成によれば、放送受信機は、受信部によって、録画関連情報が含まれるデータ放送コンテンツ又はテーブル形式コンテンツが多重された予告番組を受信する。また、放送受信機は、分離部によって、受信部で受信した予告番組から、データ放送コンテンツ又はテーブル形式コンテンツに含まれる録画関連情報を分離する。そして、放送受信機は、出力部によって、分離部で分離した録画関連情報を、赤外線通信又は無線通信により携帯端末に出力する。このように、外出先でも、録画関連情報を視聴者の携帯端末に出力できるため、視聴者がキー情報を記録又は記憶する必要がなくなる。
【００１８】
また、前記した課題に鑑みて、本願第４発明に係る携帯端末は、前記した放送受信機から、宣伝対象番組の録画予約情報が含まれる番組情報又は当該番組情報へのポインタ情報が録画関連情報として入力又は転送される携帯端末であって、入力部と、転送部と、を備えることを特徴とする。
【００１９】
かかる構成によれば、携帯端末は、入力部によって、赤外線通信又は無線通信で録画関連情報が入力される。また、携帯端末は、転送部によって、入力部に入力された録画関連情報を赤外線通信、無線通信又はパケット通信で録画装置に転送する。このように、外出先で携帯端末に取り込まれた録画関連情報を、帰宅後あるいはその場で、自宅の録画装置に転送できるため、視聴者がキー情報を記録又は記憶しておき、録画装置に入力する必要がなくなる。
【００２０】
また、前記した課題に鑑みて、本願第５発明に係る携帯端末は、放送受信機から、宣伝対象番組の録画予約情報が含まれる番組情報又は当該番組情報へのポインタ情報を録画関連情報として取得する携帯端末であって、撮影部と、バーコード解析部と、転送部とを備えることを特徴とする。
【００２１】
かかる構成によれば、携帯端末は、撮影部によって、放送受信機に表示されたバーコードを撮影する。また、携帯端末は、バーコード解析部によって、撮影部で撮影したバーコードを解析することで、このバーコードが示す録画関連情報を取得する。そして、携帯端末は、転送部によって、バーコード解析部が取得した録画関連情報を赤外線通信、無線通信又はパケット通信で録画装置に転送する。このように、外出先で携帯端末に取り込まれた録画関連情報を、帰宅後あるいはその場で、自宅の録画装置に転送できるため、視聴者がキー情報を記録又は記憶しておき、録画装置に入力する必要がなくなる。
【００２２】
また、前記した課題に鑑みて、本願第６発明に係る録画装置は、前記した携帯端末から、宣伝対象番組の録画予約情報が含まれる番組情報又は当該番組情報へのポインタ情報が録画関連情報として入力される録画装置であって、入力部と、録画予約部と、録画部と、を備えることを特徴とする。
【００２３】
かかる構成によれば、録画装置は、入力部によって、録画関連情報が赤外線通信、無線通信又はパケット通信で入力される。また、録画装置は、録画予約部によって、入力部に入力された録画関連情報に基づいて、宣伝対象番組を録画予約する。そして、録画装置は、録画部によって、録画予約部で録画予約された宣伝対象番組を録画する。このように、視聴者がキー情報を録画装置に入力することなく、宣伝対象番組を録画予約又は録画できる。
【発明の効果】
【００２４】
本願発明に係る放送装置、放送受信機、携帯端末及び録画装置では、外出先で携帯端末に取り込まれた録画関連情報を自宅の録画装置に転送できるため、視聴者がキー情報を記録又は記憶する必要がなく、視聴者が外出先で予告番組を視聴したときでも、簡易かつ確実に録画予約を行うことができる。
【図面の簡単な説明】
【００２５】
【図１】本願発明における放送システムの概略を説明する概略図である。
【図２】本願発明の第１実施形態に係る放送装置の構成を示すブロック図である。
【図３】図２の放送装置の動作を示すフローチャートである。
【図４】本願発明の第２実施形態に係る放送装置の構成を示すブロック図である。
【図５】図４の放送装置の動作を示すフローチャートである。
【図６】本願発明の第３実施形態に係る放送受信機の構成を示すブロック図である。
【図７】図６の放送受信機の動作を示すフローチャートである。
【図８】本願発明の第４実施形態に係る放送受信機の構成を示すブロック図である。
【図９】図８の放送受信機の動作を示すフローチャートである。
【図１０】本願発明の第５実施形態に係る携帯端末の構成を示すブロック図である。
【図１１】図１０の携帯端末のハードウェア構成を説明する説明図である。
【図１２】図１０の携帯端末の動作の第１例であり、（ａ）は録画関連情報記憶アプリのフローチャートであり、（ｂ）は録画関連情報転送アプリのフローチャートである。
【図１３】図１０の携帯端末の動作の第２例を示すフローチャートである。
【図１４】本願発明の第６実施形態に係る携帯端末の構成を示すブロック図である。
【図１５】図１４の携帯端末の動作の第１例であり、（ａ）は録画関連情報記憶アプリのフローチャートであり、（ｂ）は録画関連情報転送アプリのフローチャートである。
【図１６】図１４の携帯端末の動作の第２例を示すフローチャートである。
【図１７】本願発明の第７実施形態に係る録画装置の構成を示すブロック図である。
【図１８】図１７の録画装置で表示されるＥＰＧの一例である。
【図１９】図１７の録画装置で表示される番組指定録画予約画面の一例である。
【図２０】図１７の録画装置の動作を示すフローチャートである。
【図２１】従来の録画予約を説明する説明図である。
【発明を実施するための形態】
【００２６】
［放送システムの概略］
図１を参照し、本願発明における放送システム１の概略について、説明する。
図１に示すように、放送システム１は、宣伝対象番組の録画関連情報を用いて、宣伝対象番組の録画予約を行うものであり、放送装置１０（１０Ａ）と、放送受信機２０（２０Ａ）と、携帯端末３０（３０Ａ）と、録画装置４０とを備える。また、図１には、携帯端末３０Ａのパケット通信に利用される基地局５０と、ネットワーク６０とを図示した。
【００２７】
本実施形態では、放送装置１０（１０Ａ）が放送局に配置され、放送受信機２０（２０Ａ）が視聴者（不図示）の外出先に配置され、録画装置４０が視聴者の自宅に配置されていることとする。また、携帯端末３０（３０Ａ）は、視聴者が所持していることとする。
【００２８】
放送システム１で宣伝対象番組の録画予約を行う手順を簡単に説明する。
ここで、放送装置１０（１０Ａ）が予告番組を放送し、放送受信機２０（２０Ａ）が予告番組を再生している。そして、視聴者が、再生中の予告番組を外出先で視聴し、この予告番組で宣伝されている宣伝対象番組を自宅の録画装置４０で録画予約する場合を考える。
【００２９】
放送受信機２０（２０Ａ）には、放送装置１０（１０Ａ）から、予告番組と共に、宣伝対象番組の録画関連情報が送出される。外出先にいる視聴者は、放送受信機２０（２０Ａ）に送出された録画関連情報を携帯端末３０（３０Ａ）に取り込む。そして、視聴者は、帰宅後、携帯端末３０（３０Ａ）に取り込まれた録画関連情報を録画装置４０に転送し、この録画関連情報で特定される宣伝対象番組の録画予約を行う。さらに、視聴者は、帰宅する前、パケット通信により、録画関連情報を録画装置４０に転送し、録画予約を行うこともできる。このようにして、放送システム１では、視聴者がキー情報を記録又は記憶することなく、録画予約を行うことができる。
【００３０】
放送装置１０（１０Ａ）は、地上デジタル放送波、衛星デジタル放送波などのデジタル放送波により、ステーションブレイクなどの予告番組を放送受信機２０（２０Ａ）に送出するものである。このとき、放送装置１０（１０Ａ）は、予告番組と共に、録画関連情報を送出する。
また、例えば、放送装置１０（１０Ａ）は、予告番組を送出した後の番組スケジュールで定められた時刻（数時間ないし数日後）に、宣伝対象番組を録画装置４０に送出する。
【００３１】
ここで、放送装置１０（１０Ａ）は、放送受信機２０（２０Ａ）に対し、録画関連情報を２種類の手法で送信することができる。
第１手法では、放送装置１０は、録画関連情報が含まれるデータ放送コンテンツ又はテーブル形式コンテンツ（例えば、ＳＩテーブル形式のコンテンツ）を多重して、放送受信機２０に送信する。この放送装置１０は、第１実施形態で説明する。
第２手法では、放送装置１０Ａは、録画関連情報を示す２次元バーコードを予告番組の映像に合成して、放送受信機２０Ａに送信する。この放送装置１０Ａは、第２実施形態で説明する。
【００３２】
放送受信機２０（２０Ａ）は、デジタル放送波により、放送装置１０（１０Ａ）から予告番組と共に録画関連情報を受信する。そして、放送受信機２０（２０Ａ）は、受信した予告番組を再生する。
【００３３】
ここで、放送受信機２０（２０Ａ）は、放送装置１０（１０Ａ）が録画関連情報を送信した手法に応じて、録画関連情報を携帯端末３０（３０Ａ）に送信する。つまり、放送受信機２０（２０Ａ）は、携帯端末３０（３０Ａ）に対し、録画関連情報を２種類の手法で送信することができる。
【００３４】
第１手法の場合、放送受信機２０は、赤外線通信又は無線通信（近距離無線通信）を用いて、視聴者が所持する携帯端末３０に録画関連情報を出力する。この放送受信機２０は、第３実施形態で説明する。
【００３５】
第２手法の場合、放送受信機２０Ａは、映像に合成された２次元バーコードαを表示する。この２次元バーコードαが携帯端末３０Ａで撮影され、携帯端末３０Ａが録画関連情報を取得できる。この放送受信機２０Ａは、第４実施形態で説明する。
【００３６】
本実施形態では、近距離無線通信として、例えば、Ｂｌｕｅｔｏｏｔｈ（登録商標）を用いることができる。このＢｌｕｅｔｏｏｔｈは、ＩＥＥＥ（the Institute of Electrical and Electronics Engineers）８０２．１５．１に規定されているため、これ以上の説明を省略する。
また、本実施形態では、赤外線通信として、例えば、ＩｒＤＡ（Infrared Data Association）を用いることができる。
【００３７】
携帯端末３０（３０Ａ）は、放送受信機２０（２０Ａ）からの録画関連情報を、録画装置４０に転送するものである。例えば、携帯端末３０（３０Ａ）としては、スマートフォンを含む携帯電話、携帯情報端末（ＰＤＡ：Personal Digital Assistant）、タブレット型端末、ノート型パソコンなどをあげることができる。本実施形態では、携帯端末３０（３０Ａ）が携帯電話であることとして説明する。
【００３８】
ここで、携帯端末３０（３０Ａ）は、放送受信機２０（２０Ａ）と同様、録画関連情報を２種類の手法で入力又は取得することができる。
第１手法の場合、携帯端末３０は、赤外線通信又は無線通信（近距離無線通信）を用いて、放送受信機２０から録画関連情報が入力される。そして、携帯端末３０は、入力された録画関連情報を、録画装置４０に転送する。この携帯端末３０は、第５実施形態で説明する。
第２手法の場合、携帯端末３０Ａは、映像に合成された２次元バーコードαを撮影し、録画関連情報を取得する。そして、携帯端末３０Ａは、取得した録画関連情報を録画装置４０に転送する。この携帯端末３０Ａは、第６実施形態で説明する。
【００３９】
録画装置４０は、携帯端末３０（３０Ａ）から転送された録画関連情報を用いて、宣伝対象番組の録画予約を行うものである。そして、録画装置４０は、放送装置１０（１０Ａ）から、宣伝対象番組を受信すると、受信した宣伝対象番組を録画する。例えば、録画装置４０としては、ＨＤＤ（Hard Disk Drive）レコーダ、ブルーレイレコーダなどをあげることができる。
【００４０】
基地局５０は、携帯端末３０（３０Ａ）の携帯電話基地局である。また、基地局５０は、携帯端末３０（３０Ａ）から、録画関連情報を受信した場合、この録画関連情報をネットワーク６０に送信する。
【００４１】
ネットワーク６０は、例えば、インターネットなどの通信網である。また、ネットワーク６０は、基地局５０から受信した録画関連情報を、このネットワーク６０に接続された録画装置４０に送信する。
【００４２】
（第１実施形態）
[放送装置の構成]
図２を参照し、本願発明の第１実施形態に係る放送装置１０の構成について、説明する。なお、各実施形態において、同一の機能を有する手段及び同一の処理には同一の符号を付し、説明を省略した。
【００４３】
図２に示すように、放送装置１０は、番組ＤＢ（番組データベース）１１と、番組再生部１２と、番組情報ＤＢ（番組情報データベース）１３と、録画関連情報生成部（生成部）１４と、多重化部１５と、番組送出部（送出部）１６と、ＡＰＣ（Automatic Program Controller）１７とを備える。
図２では、制御信号の入出力を破線矢印で図示し、それ以外の信号入出力（例えば、番組信号、番組情報信号などのコンテンツの入出力）を実線矢印で図示した（図４も同様）。
【００４４】
番組ＤＢ１１は、予告番組及び宣伝対象番組といった各番組の映像・音声が予め記憶されたデータベースである。
番組再生部１２は、後記するＡＰＣ１７から入力された制御信号に従って、番組ＤＢ１１に記憶された予告番組の映像・音声を読み出して、多重化部１５に出力するものである。また、番組再生部１２は、予告番組と同様、番組ＤＢ１１に記憶された宣伝対象番組の映像・音声を読み出して、多重化部１５に出力する。
番組情報ＤＢ１３は、予告番組及び宣伝対象番組といった各番組の番組情報を記憶するデータベースである。
【００４５】
録画関連情報生成部１４は、ＡＰＣ１７から入力された制御信号に従って、番組情報ＤＢ１３の番組情報を参照し、録画関連情報が含まれるデータ放送コンテンツ又はテーブル形式コンテンツを生成するものである。例えば、録画関連情報生成部１４は、録画関連情報が含まれるデータ放送コンテンツをＢＭＬ（Broadcast Markup Language）又はＨＴＭＬ（HyperText Markup Language）５で記述する。また、録画関連情報生成部１４は、既存の又は新たに定義されたテーブル（データコンポーネント）に録画関連情報を格納してもよい。そして、録画関連情報生成部１４は、生成したデータ放送コンテンツ又はテーブル形式コンテンツを多重化部１５に出力する。
【００４６】
なお、放送装置１０では、録画関連情報の何れを利用（多重・送出）するか、予め設定される。また、放送装置１０では、録画関連情報をデータ放送コンテンツ又はテーブル形式コンテンツの何れの形式で送出するかも、予め設定される。
【００４７】
多重化部１５は、録画関連情報生成部１４から入力されたデータ放送コンテンツ又はテーブル形式コンテンツを、番組再生部１２から入力された予告番組の映像・音声に多重するものである。例えば、多重化部１５は、ＭＰＥＧ（Moving Picture Experts Group）−２  Ｓｙｓｔｅｍｓ、又は、ＭＰＥＧ−Ｈ  ＭＭＴ（Mpeg Media Transport）を用いて、予告番組の映像・音声にデータ放送コンテンツ又はテーブル形式コンテンツを多重し、予告番組の多重信号を生成する。そして、多重化部１５は、生成した予告番組の多重信号を番組送出部１６に出力する。
また、多重化部１５は、番組再生部１２から入力された宣伝対象番組の映像・音声を多重し、番組送出部１６に出力する。
【００４８】
番組送出部１６は、ＡＰＣ１７からの制御信号に従って、多重化部１５から入力された予告番組の多重信号を送出するものである。例えば、番組送出部１６は、デジタル放送波により、予告番組の多重信号を送出する。
また、番組送出部１６は、予告番組と同様、多重化部１５から入力された宣伝対象番組の多重信号を送出する。
【００４９】
ＡＰＣ１７は、宣伝対象番組を含む各番組の放送スケジュールが予め設定され、この放送スケジュールに従って、予告番組及び宣伝対象番組といった各番組の送出を制御するものである。本実施形態では、ＡＰＣ１７は、放送スケジュールに従って各番組が送出されるように、処理タイミングを示す制御信号を、番組再生部１２と、録画関連情報生成部１４と、番組送出部１６とに出力する。ＡＰＣ１７では、宣伝対象番組に対して、予告番組が先行して送出されるように放送スケジュールが設定される。
【００５０】
[放送装置の動作]
図３を参照し、放送装置１０の動作について、説明する（適宜図２参照）。
放送装置１０は、番組再生部１２によって、番組ＤＢ１１に記憶された予告番組の映像・音声を読み出す（ステップＳ１０）。
【００５１】
放送装置１０は、録画関連情報生成部１４によって、番組情報ＤＢ１３から、宣伝対象番組の番組情報を読み出す（ステップＳ１１）。
放送装置１０は、録画関連情報生成部１４によって、ステップＳ１１で読み出した番組情報を参照し、録画関連情報が含まれるデータ放送コンテンツ又はテーブル形式コンテンツを生成する（ステップＳ１２）。
【００５２】
放送装置１０は、多重化部１５によって、ステップＳ１２で生成したデータ放送コンテンツ又はテーブル形式コンテンツを、ステップＳ１０で読み出した予告番組の映像・音声に多重する（ステップＳ１３）。
放送装置１０は、番組送出部１６によって、ステップＳ１３で多重された予告番組の多重信号を送出する（ステップＳ１４）。
なお、放送装置１０が送出した多重信号は、変調、周波数変換及び電力増幅され、放送波として放送される。
【００５３】
（第２実施形態）
[放送装置の構成]
図４を参照し、本願発明の第２実施形態に係る放送装置１０Ａの構成について、第１実施形態と異なる点を説明する。
【００５４】
図４に示すように、放送装置１０Ａは、番組ＤＢ１１と、番組再生部１２と、番組情報ＤＢ１３と、番組送出部１６Ａと、ＡＰＣ１７Ａと、バーコード生成部（生成部）１８と、画像合成部（合成部）１９とを備える。
【００５５】
番組送出部１６Ａは、ＡＰＣ１７Ａからの制御信号に従って、後記する画像合成部１９から入力された予告番組及び宣伝対象番組の多重信号を送出するものである。
ＡＰＣ１７Ａは、番組再生部１２と、後記するバーコード生成部１８と、番組送出部１６Ａとに制御信号を出力するものである。
【００５６】
バーコード生成部１８は、ＡＰＣ１７Ａから入力された制御信号に従って、番組情報ＤＢ１３の番組情報を参照し、宣伝対象番組の録画関連情報を示す２次元バーコードを生成するものである。例えば、バーコード生成部１８は、録画関連情報の２次元バーコードとして、ＱＲコード（登録商標）を生成する。そして、バーコード生成部１８は、生成した２次元バーコードを画像合成部１９に出力する。
ＱＲコードは、ＪＩＳ（Japanese Industrial Standards）Ｘ０５１０に規定されているため、これ以上の説明を省略する。
【００５７】
画像合成部１９は、バーコード生成部１８から入力された２次元バーコードを、番組再生部１２から入力された予告番組の映像に画像合成するものである。例えば、画像合成部１９は、２次元バーコードが視聴の妨げにならないように、２次元バーコードを、予告番組の映像の左下部分に重ね合わせる。そして、画像合成部１９は、第１実施形態と同様のＭＰＥＧ−２  Ｓｙｓｔｅｍｓ、又は、ＭＰＥＧ−Ｈ  ＭＭＴを用いて、予告番組の映像・音声を多重し、予告番組の多重信号を生成する。その後、画像合成部１９は、生成した予告番組の多重信号を、番組送出部１６Ａに出力する。
また、画像合成部１９は、番組再生部１２から入力された宣伝対象番組の映像・音声を多重し、番組送出部１６Ａに出力する。
【００５８】
[放送装置の動作]
図５を参照し、放送装置１０Ａの動作について、説明する（適宜図４参照）。
ステップＳ１０，Ｓ１１の処理は、図３と同様のため、説明を省略する。
【００５９】
放送装置１０Ａは、バーコード生成部１８によって、ステップＳ１１で読み出した番組情報を参照し、録画関連情報を示す２次元バーコードを生成する（ステップＳ１５）。
【００６０】
放送装置１０Ａは、画像合成部１９によって、ステップＳ１５で生成した２次元バーコードを、ステップＳ１０で読み出した予告番組の映像に合成する（ステップＳ１６）。
放送装置１０Ａは、番組送出部１６Ａによって、ステップＳ１６で合成された予告番組の多重信号を送出する（ステップＳ１７）。
なお、放送装置１０Ａが送出した多重信号は、変調、周波数変換及び電力増幅され、放送波として放送される。
【００６１】
（第３実施形態）
[放送受信機の構成]
図６を参照し、本願発明の第３実施形態に係る放送受信機２０の構成について、説明する。
【００６２】
図６に示すように、放送受信機２０は、受信部２１と、分離部２２と、映像・音声デコード部２３と、データデコード部２４と、ディスプレイ２５と、入出力ＩＦ（出力部）２６とを備える。
【００６３】
受信部２１は、放送装置１０から予告番組の放送波を受信するものであり、高周波部２１ａと、復調部２１ｂとを備える。
高周波部２１ａは、放送受信機２０から放送波を受信するものである。例えば、高周波部２１ａは、受信した放送波の高周波信号から所望のチャンネルを抽出（選局）し、抽出した高周波信号を中間周波信号（変調信号）に変換し、復調部２１ｂに出力する。
【００６４】
復調部２１ｂは、高周波部２１ａから入力された中間周波信号を、Ａ／Ｄ変換し、例えば、地上デジタル放送の場合に１６ＱＡＭ（Quadrature Amplitude Modulation）、衛星デジタル放送の場合に８ＰＳＫ（Phase Shift Keying）、などの変調信号を復調することで、予告番組の多重信号を取得するものである。この予告番組の多重信号には、録画関連情報が含まれるデータ放送コンテンツ又はテーブル形式コンテンツが多重化されている。そして、復調部２１ｂは、取得した予告番組の多重信号を分離部２２に出力する。
【００６５】
分離部２２は、受信部２１から入力された予告番組の多重信号より、録画関連情報が含まれるデータ放送コンテンツ又はテーブル形式コンテンツと、予告番組の映像・音声とを分離するものである。そして、分離部２２は、分離した予告番組の映像・音声を映像・音声デコード部２３に出力する。さらに、分離部２２は、分離したデータ放送コンテンツ又はテーブル形式コンテンツをデータデコード部２４に出力する。
【００６６】
なお、放送受信機２０では、放送装置１０に対応して、録画関連情報として番組情報又はポインタ情報の何れを利用するのか予め設定される。また、放送受信機２０では、録画関連情報がデータ放送コンテンツ又はテーブル形式コンテンツの何れの形式で送出されているかも、予め設定される。
【００６７】
映像・音声デコード部２３は、分離部２２から入力された予告番組の映像・音声をデコードするものである。例えば、映像・音声デコード部２３は、ＭＰＥＧ−４  ＡＶＣ（Advanced Video Coding）を用いて、予告番組の映像をデコードし、ディスプレイ２５に出力する。また、例えば、映像・音声デコード部２３は、ＡＡＣ（Advanced Audio Coding）を用いて、予告番組の音声をデコードし、ディスプレイ２５に内蔵されたスピーカ（不図示）に出力する。
【００６８】
データデコード部２４は、分離部２２から入力されたデータ放送コンテンツ又はテーブル形式コンテンツをデコード（解析）し、録画関連情報を抽出するものである。例えば、データデコード部２４は、ＢＭＬ又はＨＴＭＬ５等のブラウザとして、入力されたデータ放送コンテンツを解析し、解析したデータ放送コンテンツに含まれる録画関連情報を抽出する。また、データデコード部２４は、テーブル形式コンテンツが入力される場合には、そのテーブル形式コンテンツから録画関連情報を抽出する。そして、データデコード部２４は、抽出した録画関連情報を入出力ＩＦ２６に出力する。
なお、データデコード部２４は、録画関連情報以外の提示可能なデータ放送コンテンツをデコードした場合、このデータ放送コンテンツをディスプレイ２５やディスプレイ２５に内蔵されたスピーカ（不図示）に出力する。
【００６９】
ディスプレイ２５は、映像・音声デコード部２３から入力された予告番組の映像・音声を提示するものである。また、ディスプレイ２５は、データデコード部２４からデータ放送コンテンツが入力された場合、視聴者からの指示（例えば、‘ｄボタン’や４色の色ボタンの押下）に応じて、 データ放送画面をインタラクティブに表示するものである。
【００７０】
入出力ＩＦ２６は、携帯端末３０（図１）との間で録画関連情報を入出力するＩＦ（インタフェース）であり、赤外線ＩＦ２６ａと、無線ＩＦ２６ｂとを備える。本実施形態では、入出力ＩＦ２６は、赤外線ＩＦ２６ａ及び無線ＩＦ２６ｂの両方を備えているが、赤外線ＩＦ２６ａ又は無線ＩＦ２６ｂの何れか一方のみを備える形態でもよい。
【００７１】
赤外線ＩＦ２６ａは、データデコード部２４から入力された録画関連情報を、赤外線通信で携帯端末３０に出力するＩＦである。例えば、赤外線ＩＦ２６ａは、赤外線通信として、ＩｒＤＡを用いて、録画関連情報を携帯端末３０に出力する。
【００７２】
無線ＩＦ２６ｂは、データデコード部２４から入力された録画関連情報を、無線通信で携帯端末３０に出力するＩＦである。例えば、無線ＩＦ２６ｂは、近距離無線通信として、Ｂｌｕｅｔｏｏｔｈを用いて、録画関連情報を携帯端末３０に出力する。
【００７３】
[放送受信機の動作]
図７を参照し、放送受信機２０の動作について、説明する（適宜図６参照）。
放送受信機２０は、受信部２１によって、放送装置１０から予告番組の放送波を受信する（ステップＳ２０）。
【００７４】
放送受信機２０は、分離部２２によって、ステップＳ２０で受信した予告番組の多重信号から、録画関連情報が含まれるデータ放送コンテンツ又はテーブル形式コンテンツと、予告番組の映像・音声とを分離する（ステップＳ２１）。
【００７５】
放送受信機２０は、映像・音声デコード部２３によって、ステップＳ２１で分離された予告番組の映像・音声をデコードする（ステップＳ２２）。
放送受信機２０は、デコードされた予告番組の映像・音声をディスプレイ２５及びスピーカに提示する（ステップＳ２３）。
【００７６】
放送受信機２０は、データデコード部２４によって、ステップＳ２１で分離されたデータ放送コンテンツ又はテーブル形式コンテンツをデコードし、録画関連情報を抽出する。そして、放送受信機２０は、入出力ＩＦ２６によって、抽出した録画関連情報を赤外線通信又は無線通信で携帯端末３０に出力する（ステップＳ２４）。
【００７７】
（第４実施形態）
[放送受信機の構成]
図８を参照し、本願発明の第４実施形態に係る放送受信機２０Ａの構成について、第３実施形態と異なる点を説明する。
図８に示すように、放送受信機２０Ａは、受信部２１と、映像・音声デコード部２３Ａと、ディスプレイ（出力部）２５Ａとを備える。
【００７８】
映像・音声デコード部２３Ａは、受信部２１から入力された予告番組の映像・音声をデコードするものである。例えば、映像・音声デコード部２３Ａは、ＭＰＥＧ−４  ＡＶＣを用いて、２次元バーコードが合成された宣伝対象番組の映像をデコードし、ディスプレイ２５Ａに出力する。また、例えば、映像・音声デコード部２３Ａは、ＡＡＣを用いて、宣伝対象番組の音声をデコードし、ディスプレイ２５Ａに内蔵されたスピーカ（不図示）に出力する。
【００７９】
ディスプレイ２５Ａは、映像・音声デコード部２３Ａから入力された予告番組の映像・音声を再生する。ここで、予告番組の映像に２次元バーコードが合成されているので、２次元バーコードがディスプレイ２５Ａに表示されることになる。
【００８０】
[放送受信機の動作]
図９を参照し、放送受信機２０Ａの動作について、説明する（適宜図８参照）。
ステップＳ２０の処理は、図７と同様のため、説明を省略する。
【００８１】
放送受信機２０Ａは、映像・音声デコード部２３Ａによって、ＭＰＥＧ−４  ＡＶＣを用いて、２次元バーコードが合成された宣伝対象番組の映像をデコードし、ＡＡＣを用いて、宣伝対象番組の音声をデコードする（ステップＳ２５）。
【００８２】
放送受信機２０Ａは、ディスプレイ２５Ａによって、ステップＳ２４でデコードされた予告番組の映像・音声を提示する。このとき、予告番組の映像に２次元バーコードが合成されているので、２次元バーコードがディスプレイ２５Ａに表示される（ステップＳ２６）。
【００８３】
（第５実施形態）
[携帯端末の構成]
図１０を参照し、本願発明の第５実施形態に係る携帯端末３０の構成について、説明する。
図１０に示すように、携帯端末３０は、入出力ＩＦ３１と、録画関連情報入力部（入力部）３２と、記憶部３３と、録画関連情報転送部（転送部）３４とを備える。
【００８４】
入出力ＩＦ３１は、放送受信機２０（図６）及び録画装置４０（図１７）との間で録画関連情報を送受信するＩＦであり、赤外線ＩＦ３１ａと、無線ＩＦ３１ｂと、通信ＩＦ３１ｃとを備える。本実施形態では、入出力ＩＦ３１は、赤外線ＩＦ３１ａ、無線ＩＦ３１ｂ及び通信ＩＦ３１ｃを全て備えているが、何れか１以上を備えてもよい。
【００８５】
赤外線ＩＦ３１ａは、放送受信機２０から録画関連情報を赤外線通信で受信し、受信した録画関連情報を入力部３２に出力するものである。また、赤外線ＩＦ３１ａは、後記する録画関連情報転送部３４から入力された録画関連情報を赤外線通信で録画装置４０に転送する。例えば、赤外線ＩＦ３１ａは、赤外線通信として、ＩｒＤＡを用いることができる。
【００８６】
無線ＩＦ３１ｂは、放送受信機２０から録画関連情報を無線通信（近距離無線通信）で受信し、受信した録画関連情報を入力部３２に出力するものである。また、無線ＩＦ３１ｂは、録画関連情報転送部３４から入力された録画関連情報を無線通信（近距離無線通信）で録画装置４０に転送する。例えば、無線ＩＦ３１ｂは、近距離無線通信として、Ｂｌｕｅｔｏｏｔｈを用いることができる。
【００８７】
通信ＩＦ３１ｃは、録画関連情報転送部３４から入力された録画関連情報をパケット通信で録画装置４０に転送するものである。例えば、通信ＩＦ３１ｃは、携帯電話の通信方式として、ＬＴＥ（Long Term Evolution）方式のパケット通信を用いることができる。
【００８８】
録画関連情報入力部３２は、入出力ＩＦ３１を介して、録画関連情報が入力されるものである。また、録画関連情報入力部３２は、入力された録画関連情報を記憶部３３に書き込む。
【００８９】
記憶部３３は、録画関連情報入力部３２から入力された録画関連情報を記憶するものである。例えば、記憶部３３としては、一時記憶メモリ（Ｓ−ＲＡＭ：Static RAM、Ｄ−ＲＡＭ：Dynamic RAM）又は永続記憶装置（ハードディスク、ＳＳＤ：Solid State Disk）をあげることができる。
【００９０】
録画関連情報転送部３４は、記憶部３３に記憶された録画関連情報を読み出すものである。また、録画関連情報転送部３４は、入出力ＩＦ３１を介して、読み出した録画関連情報を録画装置４０に転送する。例えば、録画関連情報転送部３４は、視聴者から転送指令が入力されると、この転送指令に応じて、記憶部３３に記憶された録画関連情報を読み出して、録画装置４０に転送する。
【００９１】
ここで、録画関連情報転送部３４は、携帯端末３０の構成または契約に従い、パケット通信の利用可否が予め設定される。
パケット通信を利用できる場合、携帯端末３０と録画装置４０とが離れていても、この録画装置４０に録画関連情報をすぐに転送できる。一方、パケット通信を利用できない場合、携帯端末３０と録画装置４０とが近くでないと、この録画装置４０に録画関連情報をすぐには転送できない。
【００９２】
携帯端末３０には、録画関連情報を記憶するアプリケーション（録画関連情報記憶アプリ）と、録画関連情報を転送するアプリケーション（録画関連情報転送アプリ）とを記憶部３３にインストールしてもよい。これらアプリケーションにより、携帯端末３０が備えるハードウェア資源を、図１０の各手段として協調動作させることができる。
【００９３】
以下、図１１を参照し、携帯端末３０のハードウェア構成について、簡単に説明する。
ＣＰＵ（Central Processing Unit）３１０は、携帯端末３０に必要な各種操作や演算を行うものである。本実施形態では、ＣＰＵ３１０は、録画関連情報記憶アプリ及び録画関連情報転送アプリにより、図１０の録画関連情報入力部３２及び録画関連情報転送部３４として機能する。
【００９４】
ディスプレイ３２０は、各種情報や各番組を視聴者に表示するものであり、例えば、液晶パネルである。
入力デバイス３３０は、転送指令などの各種操作を視聴者が入力するものであり、例えば、ディスプレイ３２０の表面に形成されたタッチパネルである。
バス３４０は、入出力ＩＦ３１と、記憶部３３と、ＣＰＵ３１０と、ディスプレイ３２０と、入力デバイス３３０とを接続する信号線である。
【００９５】
[携帯端末の動作:第１例]
図１２，図１３を参照し、図１０の携帯端末３０の動作について、第１例及び第２例の順で説明する（適宜図１０参照）。
【００９６】
図１２（ａ）に示すように、携帯端末３０は、録画関連情報入力部３２によって、入出力ＩＦ３１を介して、放送受信機２０から録画関連情報を受信する（ステップＳ３０）。
携帯端末３０は、録画関連情報入力部３２によって、ステップＳ３０で受信した録画関連情報を記憶部３３に書き込む（ステップＳ３１）。
【００９７】
図１２（ｂ）に示すように、携帯端末３０は、録画関連情報転送部３４によって、例えば、視聴者から転送指令が入力されると、ステップＳ３１で書き込まれた録画関連情報を読み出す（ステップＳ３２）。
携帯端末３０は、録画関連情報転送部３４によって、入出力ＩＦ３１を介して、ステップＳ３２で読み出した録画関連情報を録画装置４０に転送する（ステップＳ３３）。
【００９８】
[携帯端末の動作:第２例]
図１３のＳ３０は、図１２（ａ）と同様の動作のため、説明を省略する。
図１３に示すように、携帯端末３０は、録画関連情報入力部３２によって、例えば、視聴者から転送指令が入力されたか否かにより、ステップＳ３０で受信した録画関連情報をすぐに転送するか否かを判定する（ステップＳ３４）。
【００９９】
録画関連情報をすぐに転送する場合（ステップＳ３４でＹｅｓ）、携帯端末３０は、録画関連情報転送部３４によって、ステップＳ３０で受信した録画関連情報を録画装置４０に転送を試みると共に、録画関連情報の転送の成功又は失敗（通信の不確立を含む）を示す転送結果を入力する（ステップＳ３５）。
【０１００】
携帯端末３０は、録画装置４０から入力された転送結果に基づいて、録画装置４０で録画予約が成功したか失敗したかを判定する（ステップＳ３６）。
転送が成功の場合（ステップＳ３６でＹｅｓ）、携帯端末３０は、処理を終了する。
【０１０１】
録画関連情報をすぐに転送しない場合（ステップＳ３４でＮｏ）、又は、転送が失敗した場合（ステップＳ３６でＮｏ）、携帯端末３０は、録画関連情報入力部３２によって、録画関連情報を記録して（ステップＳ３７）、一旦処理を終了する。
【０１０２】
なお、ステップＳ３７で処理を終了した場合、帰宅する、通信の状態が変化する、録画装置４０の状態が変化（録画済み番組を消去するなど、録画可能な時間が増加）する、など状況が変化してから録画関連情報転送アプリを開始して、再度転送を試みる。つまり、携帯端末３０は、ステップＳ３７で記録された録画関連情報を読み出す（ステップＳ３２）。以降、ステップＳ３５〜Ｓ３７の処理は、前記と同様のために説明を省略する
【０１０３】
（第６実施形態）
[携帯端末の構成]
図１４を参照し、本願発明の第６実施形態に係る携帯端末３０Ａの構成について、第５実施形態と異なる点を説明する。
図１４に示すように、携帯端末３０Ａは、入出力ＩＦ３１と、記憶部３３と、録画関連情報転送部３４と、撮影部３５と、バーコード解析部３６とを備える。
【０１０４】
撮影部３５は、放送受信機２０Ａ（図８）に表示された２次元バーコードを撮影するものである。また、撮影部３５は、２次元バーコードを撮影した２次元バーコード画像を、バーコード解析部３６に出力する。例えば、撮影部３５としては、携帯端末３０Ａに内蔵された小型のデジタルカメラをあげることができる。
【０１０５】
バーコード解析部３６は、撮影部３５から入力された２次元バーコード画像に含まれる２次元バーコードをデコード（解析）するものである。例えば、バーコード解析部３６は、２次元バーコード画像から、２次元バーコードの領域を抽出する。また、バーコード解析部３６は、抽出した２次元バーコードをデコードし、この２次元バーコードが示す録画関連情報を取得する。そして、バーコード解析部３６は、取得した録画関連情報を記憶部３３に書き込む。
なお、バーコード解析部３６は、通信ＩＦ３１ｃのパケット通信機能を利用して、外部のバーコード解析サーバ（不図示）にバーコード解析を行わせてもよい。
【０１０６】
以下、携帯端末３０Ａのハードウェア構成について、簡単に説明する（適宜図１１参照）。
本実施形態では、ＣＰＵ３１０（図１１）は、バーコード解析アプリにより、バーコード解析部３６としてさらに機能する。
他の点、携帯端末３０Ａのハードウェア構成は、図１１と同様のため、説明を省略する。
【０１０７】
[携帯端末の動作：第１例]
図１５，図１６を参照し、図１４の携帯端末３０Ａの動作について、第１例及び第２例の順で説明する。
【０１０８】
図１５（ａ）に示すように、携帯端末３０Ａは、撮影部３５によって、２次元バーコードを撮影する（ステップＳ４０）。
携帯端末３０Ａは、バーコード解析部３６によって、ステップＳ４０で撮影した２次元バーコードをデコードし、録画関連情報を取得する（ステップＳ４１）。
携帯端末３０Ａは、バーコード解析部３６によって、ステップＳ４１で取得した録画関連情報を記憶部３３に書き込む（ステップＳ４２）。
図１５（ｂ）のＳ３２，Ｓ３３は、図１２（ｂ）と同様の動作のため、説明を省略する。
【０１０９】
[携帯端末の動作：第２例]
図１６のＳ３２，Ｓ３４〜Ｓ３７は、図１３と同様の動作のため、説明を省略する。
ステップＳ４０，Ｓ４１の処理は、図１５（ａ）と同様の動作のため、説明を省略する。
【０１１０】
（第７実施形態）
[録画装置の構成]
図１７を参照し、本願発明の第７実施形態に係る録画装置４０の構成について、説明する。
図１７に示すように、録画装置４０は、受信部４１と、ＥＰＧデコード部４２と、ＥＰＧ表示操作部４３と、入出力ＩＦ４４と、番組録画予約部４５と、番組録画部４６と、映像・音声デコード部４７とを備える。
【０１１１】
受信部４１は、放送装置１０から、宣伝対象番組が含まれる放送波を受信するものである。具体的には、受信部４１は、図６の受信部２１と同様、各番組の多重信号を取得する。また、受信部４１は、取得した各番組の多重信号から、番組情報を抽出する。そして、受信部４１は、各番組の多重信号を番組録画部４６に出力し、抽出した番組情報をＥＰＧデコード部４２に出力する。
【０１１２】
ＥＰＧデコード部４２は、受信部４１から入力された番組情報をデコード（解析）し、ＥＰＧを取得するものである。そして、ＥＰＧデコード部４２は、取得したＥＰＧをＥＰＧ表示操作部４３に出力する。
【０１１３】
ＥＰＧ表示操作部４３は、ＥＰＧデコード部４２から入力されたＥＰＧをディスプレイ（不図示）に表示するものである。また、ＥＰＧ表示操作部４３は、図示を省略したリモコンを介して、ＥＰＧで録画予約の操作が入力される。
なお、宣伝対象番組の録画予約を行う手法は、後記する。
【０１１４】
入出力ＩＦ４４は、携帯端末３０，３０Ａ（図１０，図１４）との間で録画関連情報及び転送結果を送受信するＩＦであり、赤外線ＩＦ４４ａと、無線ＩＦ４４ｂと、通信ＩＦ４４ｃとを備える。本実施形態では、入出力ＩＦ４４は、赤外線ＩＦ４４ａ、無線ＩＦ４４ｂ及び通信ＩＦ４４ｃを全て備えているが、何れか１以上を備えてもよい。
【０１１５】
赤外線ＩＦ４４ａは、携帯端末３０，３０Ａから録画関連情報を赤外線通信で受信し、受信した録画関連情報を番組録画予約部４５に出力するものである。例えば、赤外線ＩＦ４４ａは、赤外線通信として、ＩｒＤＡを用いることができる。
【０１１６】
無線ＩＦ４４ｂは、携帯端末３０，３０Ａから録画関連情報を無線通信で受信し、受信した録画関連情報を番組録画予約部４５に出力するものである。例えば、無線ＩＦ４４ｂは、無線通信として、Ｂｌｕｅｔｏｏｔｈを用いることができる。
【０１１７】
通信ＩＦ４４ｃは、携帯端末３０，３０Ａから録画関連情報をパケット通信で受信し、受信した録画関連情報を番組録画予約部４５に出力するものである。例えば、通信ＩＦ４４ｃは、パケット通信として、ＬＴＥ方式を用いることができる。
【０１１８】
番組録画予約部４５は、入出力ＩＦ４４から入力された録画関連情報に基づいて、宣伝対象番組を録画予約するものである。
番組録画部４６は、番組録画予約部４５で録画予約された宣伝対象番組を録画するものである。
【０１１９】
映像・音声デコード部４７は、番組録画部４６から入力された宣伝対象番組の映像・音声をデコードするものである。例えば、映像・音声デコード部４８は、ＭＰＥＧ−４  ＡＶＣを用いて映像をデコードし、ＡＡＣを用いて音声をデコードする。そして、映像・音声デコード部４８は、デコードした宣伝対象番組の映像・音声を外部に出力する。
【０１２０】
＜宣伝対象番組の録画予約：第１例＞
以下、図１８，図１９を参照し、録画装置４０で宣伝対象番組を録画予約する具体的方法について、第１例〜第３例を説明する（適宜図１７参照）。
この第１例では、録画関連情報として、宣伝対象番組のポインタ情報が用いられ、赤外線通信又は近距離無線通信で録画関連情報を受信する。
【０１２１】
まず、番組録画予約部４５は、入出力ＩＦ４４から入力されたポインタ情報をＥＰＧデコード部４２に出力する。ＥＰＧデコード部４２は、ポインタ情報（例えば、ネットワークＩＤとサービスＩＤとイベントＩＤとの組）で特定される宣伝対象番組を、ＥＰＧで選択表示することをＥＰＧ表示操作部４３に指令する（選択表示指令）。
【０１２２】
図１８に示すように、ＥＰＧ表示操作部４３は、ＥＰＧにおいて、選択表示指令が示す宣伝対象番組を録画予約された状態で選択表示する。図１８の例では、ＥＰＧにおいて、△ＣＨで１０：００〜１１：００に放送される○○スクープという宣伝対象番組が選択表示されている。
【０１２３】
そして、ＥＰＧ表示操作部４３は、録画予約された宣伝対象番組の録画を番組録画予約部４５に指令する（録画指令）。番組録画予約部４５は、ＥＰＧ表示操作部４３から入力された録画指令を、番組録画部４６に出力する。
なお、宣伝対象番組が選択表示された状態でも、選択表示をキャンセルすることで、録画指令を取り消すことができる。
【０１２４】
番組録画部４６は、受信部４１より入力された各番組の多重信号から、番組録画予約部４５から入力された録画指令で特定される宣伝対象番組の映像・音声を抽出する。そして、番組録画部４６は、抽出した宣伝対象番組の映像・音声を映像・音声デコード部４７に出力する。
【０１２５】
＜宣伝対象番組の録画予約：第２例＞
この第２例では、録画関連情報として、宣伝対象番組の番組情報が用いられ、赤外線通信又は近距離無線通信で録画関連情報を受信する。
【０１２６】
宣伝対象番組の録画予約に必要な情報は、宣伝対象番組の番組情報から全て得ることができる。そこで、番組録画予約部４５は、入出力ＩＦ４４から入力された番組情報を用いて、録画装置４０に備えられた番組指定録画予約機能で、録画予約を行う。
【０１２７】
具体的には、番組録画予約部４５は、宣伝対象番組の番組情報に含まれる番組名、編成チャンネル、開始時刻及び終了時刻を、一般的な番組指定録画予約画面の初期値として表示する。図１９に示すように、番組録画予約部４５は、番組指定録画予約画面において、△ＣＨで１０：００〜１１：００に放送される○○スクープという宣伝対象番組を表示する。そして、番組録画予約部４５は、録画予約ボタンβが押下されると、番組指定録画予約画面に表示されている宣伝対象番組の録画を番組録画部４６に指令する（録画指令）。一方、番組録画予約部４５は、キャンセルボタンγが押下されると、宣伝対象番組の録画予約を行わない。
以後の手順は、第１例と同様のため、説明を省略する。
【０１２８】
＜宣伝対象番組の録画予約：第３例＞
第３例では、パケット通信で録画関連情報を受信し、ＥＰＧや番組指定録画予約画面を表示せずに録画予約を行う。
まず、録画関連情報として、宣伝対象番組のポインタ情報が用いられる場合を考える。この場合、番組録画予約部４５は、入出力ＩＦ４４から入力されたポインタ情報をＥＰＧデコード部４２に出力する。ＥＰＧデコード部４２は、ポインタ情報で特定される宣伝対象番組が番組情報に含まれるか否かを判定し、その結果を番組録画予約部４５に出力する。
【０１２９】
宣伝対象番組が番組情報に含まれる場合、番組録画予約部４５は、宣伝対象番組の録画を番組録画部４６に指令すると共に（録画指令）、録画予約が成功したことを示す録画予約結果を携帯端末３０Ａに出力する。
一方、宣伝対象番組が番組情報に含まれない場合、番組録画予約部４５は、録画予約が失敗したことを示す録画予約結果を携帯端末３０Ａに出力する。この場合、第１例又は第２例の手順により、録画予約を行うことができる。
【０１３０】
次に、録画関連情報として、宣伝対象番組の番組情報が用いられる場合を考える。この場合、番組録画予約部４５は、録画関連情報で特定される宣伝対象番組の録画を番組録画部４６に指令する（録画指令）。
以後の手順は、第１例と同様のため、説明を省略する。
【０１３１】
[録画装置の動作]
図２０を参照し、図１７の録画装置４０の動作について、説明する。
録画装置４０は、番組録画予約部４５の中で、第１例〜第３例の手法で録画予約された宣伝対象番組の録画関連情報を読み出す（ステップＳ５０）。
録画装置４０は、番組録画予約部４５によって、前記した宣伝対象番組の録画を番組録画部４６に指令する（ステップＳ５１）。
【０１３２】
録画装置４０は、番組録画部４６によって、ステップＳ５１での番組録画指令に基づいて、録画予約された宣伝対象番組を録画する。具体的には、番組録画部４６は、各番組の多重信号から番組録画指令で特定される宣伝対象番組の信号を抽出して、記憶部４７に書き込む（ステップ５２）。
【０１３３】
[作用・効果]
以上のように、放送システム１は、放送受信機２０（２０Ａ）を介して携帯端末３０（３０Ａ）に録画関連情報を取り込んで、外出先で携帯端末３０（３０Ａ）に取り込まれた録画関連情報を自宅の録画装置４０に転送できる。このため、放送システム１では、視聴者が外出先で予告番組を視聴したときでも、視聴者がキー情報を記録する必要がなく、簡易かつ確実に宣伝対象番組の録画予約を行うことができる。
【０１３４】
（変形例）
本願発明に係る放送システムは、前記した実施形態に限定されず、その趣旨を逸脱しない範囲で変形を加えることができる。
【０１３５】
宣伝対象番組の番組情報は、例えば、ＥＩＴ形式として説明したが、宣伝対象番組を録画するために必要な情報であればよい（例えば、宣伝対象番組の放送チャンネル、放送開始時刻、放送終了時刻）。
録画関連情報は、２次元バーコードの他、１次元バーコードなど、様々な図形にエンコードして表してもよい。
【０１３６】
衛星デジタル放送の場合、ポインタ情報で特定される宣伝対象番組が自ＴＳ（トランスポートストリーム）のイベントの場合、そのイベントは、原則として、自ＴＳで伝送されているＥＰＧ／ＳＩに含まれる。ポインタ情報で特定される宣伝対象番組が他ＴＳのイベントの場合、そのイベントも、原則として、自ＴＳで伝送されているＥＰＧ／ＳＩに含まれる。
【０１３７】
地上デジタル放送相互間又は地上デジタル放送と衛星デジタル放送との相互間の場合、ポインタ情報で特定される宣伝対象番組が他ネットワーク（自ずと他ＴＳである。）のイベントであれば、そのイベントは、自ＴＳで伝送されているＥＰＧ／ＳＩには含まれない。しかし、宣伝対象番組のＴＳが受信できなければ宣伝対象番組を録画できないので、宣伝対象番組を録画できる状況にあるなら、宣伝対象番組のＥＰＧ／ＳＩを取得可能であるので、そこで取得したＥＰＧ／ＳＩを用いて録画予約を完了することができる。
【０１３８】
宣伝対象番組の放送予定日がＥＩＴに載せる期限（例えば、地上デジタル放送では８日間）を超えているなど、通常の運用では、宣伝対象番組がＥＩＴに載っていない場合も考えられる。このような場合、番組宣伝を行った放送局の責任において、放送装置１０が、少なくとも宣伝対象番組を載せたＥＩＴを送出する。このとき、宣伝対象番組のＥＩＴが前後の番組と連続せずに孤立して場合があってもよい。そのような場合、録画装置４０では、例えば、宣伝対象番組のみが孤立してＥＰＧに表示されてもよい。
【０１３９】
特に明示はしなかったが、予告番組の放送期間と、録画関連情報の送出期間は、同一であるような表現をしてきた。しかし、これに限らず、予告番組の放送期間と、録画関連情報の送出期間は、独立に設定されてもよい。例えば、録画関連情報の送出は、予告番組と同時に始まり、予告番組の終了後も継続し、予告番組終了後一定時間（数十秒ないし数分）経過してから終了する、といった送出方法があってもよい。こうすることによって、予告番組の送出時間に制約されず、余裕を持って録画関連情報を携帯端末に転送することが可能になる。
【０１４０】
前記の送出形態においては、予告番組が連続して放送されると、複数の宣伝対象番組の録画関連情報が同時に放送される状態が存在する。そのような場合、放送受信機２０は、複数の宣伝対象番組の番組関連情報を同時に（赤外線通信、無線通信、又は、二次元バーコード、などで）出力する。また、携帯端末のアプリケーションは、複数の宣伝対象番組の録画関連情報を表示し、利用者が録画したい番組を選択してから、当該番組の録画関連情報を携帯端末に取り込むようにする。
【０１４１】
放送受信機が視聴者の外出先に配置され、録画装置が視聴者の自宅に配置されることとしたが、これに限定されない。つまり、録画装置と放送受信機とが直接通信できなければ本願発明を適用することができ、両装置の配置場所が特に制限されない。
【０１４２】
説明を簡易にするため、放送装置は、予告番組を放送受信機に送出し、宣伝対象番組を録画装置に送出することとしたが、放送受信機及び録画装置の両者が、予告番組及び宣伝対象番組の両方を受信することは、極めて自然な状態である。
【０１４３】
多重方式をＭＰＥＧ−２  Ｓｙｓｔｅｍｓ、多重信号形式をＭＰＥＧ−２  ＴＳとして説明したが、これに限定されない。例えば、多重方式がＭＰＥＧ−Ｈ  ＭＭＴ、多重信号形式がＩＰ（Internet Protocol）のように、様々な多重方式及び多重信号形式を用いることができる。
【符号の説明】
【０１４４】
１  放送システム
１０，１０Ａ  放送装置
１１  番組ＤＢ（番組データベース）
１２  番組再生部
１３  番組情報ＤＢ（番組情報データベース）
１４  録画関連情報生成部（生成部）
１５  多重化部
１６，１６Ａ  番組送出部（送出部）
１７，１７Ａ  ＡＰＣ
１８  バーコード生成部（生成部）
１９  画像合成部（合成部）
２０，２０Ａ  放送受信機
２１  受信部
２２  分離部
２３，２３Ａ  映像・音声デコード部
２４  データデコード部
２５  ディスプレイ
２５Ａ  ディスプレイ（出力部）
２６  入出力ＩＦ（出力部）
３０，３０Ａ  携帯端末
３１  入出力ＩＦ
３２  録画関連情報入力部（入力部）
３３  記憶部
３４  録画関連情報転送部（転送部）
３５  撮影部
３６  バーコード解析部
４０  録画装置
４１  受信部
４２  ＥＰＧデコード部
４３  ＥＰＧ表示操作部
４４  入出力ＩＦ（入力部）
４５  番組録画予約部
４６  番組録画部
４７  映像・音声デコード部
【図１】
2015142252.tif 000003
【図２】
2015142252.tif 000004
【図３】
2015142252.tif 000005
【図４】
2015142252.tif 000006
【図５】
2015142252.tif 000007
【図６】
2015142252.tif 000008
【図７】
2015142252.tif 000009
【図８】
2015142252.tif 000010
【図９】
2015142252.tif 000011
【図１０】
2015142252.tif 000012
【図１１】
2015142252.tif 000013
【図１２】
2015142252.tif 000014
【図１３】
2015142252.tif 000015
【図１４】
2015142252.tif 000016
【図１５】
2015142252.tif 000017
【図１６】
2015142252.tif 000018
【図１７】
2015142252.tif 000019
【図１８】
2015142252.tif 000020
【図１９】
2015142252.tif 000021
【図２０】
2015142252.tif 000022
【図２１】
2015142252.tif 000023